(57)【要約】【課題】  インクの堆積を抑制しつつ、インクの堆積を抑制するために使用する堆積を抑制するインクの消費量を抑えることを目的とする。【解決手段】  記録ヘッドの所定の動作によってインク吸収体の所定の領域に吐出される合計のインク量と、第１のインクの量に基づいてインク吸収体への吸収を促進するための堆積抑制インク量を決定する。合計のインク量が所定量であるときの合計のインク量から記録動作に伴い所定の領域に吐出する第２のインクを除いたインクの量に対する決定した堆積抑制インク量の比より、の合計のインク量が所定量より大きい量であるときの合計のインク量から記録動作に伴い所定の領域に吐出する第２のインクを除いたインクの量に対する決定した第２のインクの量の比の方が小さくなるように、堆積抑制インク量を決定する。【選択図】  図８
2020196135.tif 000002
【特許請求の範囲】
【請求項１】
記録媒体を支持するプラテンと、
前記プラテンに設けられ、インクを吸収するためのインク吸収体と、
少なくとも、前記インク吸収体上に吐出された場合に堆積する第１のインクと、前記第１のインクと異なる種類であって前記インクの堆積を抑制することが可能な第２のインクと、を含む複数のインクを吐出する記録ヘッドと、
前記記録ヘッドが記録媒体に記録を行う記録動作に伴い前記インク吸収体の所定の領域に吐出する前記第１のインクの量の情報と、前記記録ヘッドが記録媒体に記録を行う記録動作に伴い前記所定の領域に吐出するインクの量の合計である合計のインク量の情報と、を取得する取得手段と、
前記取得手段によって取得した前記合計のインク量の情報と前記第１のインクの量の情報に基づいて、前記インク吸収体上へ吐出されたインクの前記インク吸収体への吸収を促進するために、前記記録ヘッドが前記記録動作に応じて前記所定の領域に吐出する前記第２のインクの量を決定する決定手段と、
を有する記録装置であって、
前記決定手段は、前記取得手段が取得した前記合計のインク量が所定量であるときの前記合計のインク量から前記記録動作に伴い前記所定の領域に吐出する前記第２のインクを除いたインクの量に対する前記決定手段が決定した前記第２のインクの量の比より、前記取得手段が取得した前記合計のインク量が前記所定量より大きい量であるときの前記合計のインク量から前記記録動作に伴い前記所定の領域に吐出する前記第２のインクを除いたインクの量に対する前記決定手段が決定した前記第２のインクの量の比の方が小さくなるように、前記第２のインクの量を決定することを特徴とする記録装置。
【請求項２】
前記取得手段は、取得した前記合計のインク量の情報に基づいて、インク中の水分の蒸発のしやすさに関する情報を取得し、
前記決定手段は、前記蒸発のしやすさに関する情報に基づいてインクの吸収を促進するための前記第２のインクの量を決定することを特徴とする請求項１に記載の記録装置。
【請求項３】
インク中の水分の蒸発のしやすさが所定の段階であるときのインクの吸収を促進するために吐出する前記第２のインクの量を算出する算出手段をさらに有し、
前記決定手段は、前記算出手段が算出した当該第２のインクの量と、前記蒸発のしやすさに関する情報と、に基づいて前記所定の領域に吐出する前記第２のインクの量を決定することを特徴とする請求項２に記載の記録装置。
【請求項４】
前記算出手段は、前記取得手段が取得した前記第１のインクの量の情報に基づいて前記第２のインクの量を算出することを特徴とする請求項３に記載の記録装置。
【請求項５】
前記算出手段が算出する前記蒸発のしやすさが所定の段階であるときのインクの吸収を促進するために吐出する前記第２のインクの量は、蒸発のしやすさが所定の段階のときの前記取得手段が取得した前記第１のインクの量の情報が示す第１のインクの量に対するインクの吸収を促進するための前記第２のインクの量から、前記記録動作に伴って前記所定の領域に吐出される前記第２のインクの量を減らした量であることを特徴とする請求項３または４に記載の記録装置。
【請求項６】
前記合計のインク量から前記記録動作に伴い前記所定の領域に吐出する前記第２のインクを除いたインクの量は、前記記録ヘッドが前記記録動作に伴って前記所定の領域に吐出する前記第１のインクの量であることを特徴とする請求項１乃至５のいずれか１項に記載の記録装置。
【請求項７】
前記合計のインク量から前記記録動作に伴い前記所定の領域に吐出する前記第２のインクを除いたインクの量は、前記記録ヘッドが前記記録動作に伴って前記所定の領域に吐出する前記第１のインクの量から前記所定の領域に吐出する前記第２の量に対応する量を減算した量であることを特徴とする請求項１乃至５のいずれか１項に記載の記録装置。
【請求項８】
前記取得手段は、前記合計のインク量の情報に基づいてインク中の水分の蒸発のしやすさの段階に対応する係数を取得し、
前記決定手段は、前記係数と前記算出手段が算出した前記第２のインクの量とを積算することによって前記所定の領域に吐出する前記第２のインクの量を決定することを特徴とする請求項３乃至７のいずれか１項に記載の記録装置。
【請求項９】
前記係数は、前記取得手段が取得した前記合計のインク量が第１の量の場合よりも、前記合計のインク量が前記第１の量よりも大きい場合の方が小さいことを特徴とする請求項８に記載の記録装置。
【請求項１０】
前記記録ヘッドは、前記インク吸収体へのインクの吸収を促進するための前記第２のインクの吐出を前記記録動作が終了した後に行うことを特徴とする請求項１乃至９のいずれか１項に記載の記録装置。
【請求項１１】
次に記録する記録媒体が、前に記録した記録媒体とは幅が異なる場合には、前記記録ヘッドは前記次に記録する記録媒体の記録を行う前に前記インク吸収体へのインクの吸収を促進するための前記第２のインクの吐出を行うことを特徴とする請求項１乃至１０のいずれか１項に記載の記録装置。
【請求項１２】
前記記録ヘッドは、記録媒体に記録を行う記録動作に伴って前記所定の領域に画像の記録に寄与しないインクを吐出する予備吐出動作を行い、
前記所定の領域は前記インク吸収体の記録媒体外の領域であることを特徴とする請求項１乃至１１のいずれか１項に記載の記録装置。
【請求項１３】
前記所定の領域は、前記記録媒体に縁なし記録を行うときにインクが吐出される前記記録媒体の外側の領域であることを特徴とする請求項１乃至１２のいずれか１項に記載の記録装置。
【請求項１４】
前記第１のインクは顔料インクであって、
前記第２のインクは、前記第１のインクよりも顔料濃度の低いインクであることを特徴とする請求項１乃至１３のいずれか１項に記載の記録装置。
【請求項１５】
前記第２のインクは顔料を含まないインクであることを特徴とする請求項１４に記載の記録装置。
【請求項１６】
記録媒体を支持するプラテンと、
前記プラテンに設けられ、インクを吸収するためのインク吸収体と、
少なくとも、前記インク吸収体上に吐出された場合に堆積する第１のインクと、前記第１のインクと異なる種類であって前記インクの堆積を抑制することが可能な第２のインクと、を含む複数のインクを吐出する記録ヘッドと、
前記記録ヘッドが記録媒体に記録を行う記録動作に伴い前記インク吸収体の所定の領域に吐出する前記第１のインクの量の情報と、前記記録ヘッドが記録媒体に記録を行う記録動作に伴い前記所定の領域に吐出するインクの量の合計である合計のインク量の情報と、を取得する取得手段と、
前記取得手段によって取得した前記合計のインク量の情報と前記第１のインクの量の情報に基づいて、前記インク吸収体上へ吐出されたインクの前記インク吸収体への吸収を促進するために、前記記録ヘッドが前記記録動作に応じて前記所定の領域に吐出する前記第２のインクの量を決定する決定手段と、
を有する記録装置であって、
前記取得手段は、前記合計のインク量に基づいてインク中の水分の蒸発のしやすさに関する情報を取得し、
前記決定手段は、前記取得手段が取得した前記第１のインクの量の情報と、前記取得手段が取得した前記蒸発のしやすさに関する情報と、に基づいて前記記録ヘッドが前記記録動作に応じて前記所定の領域に吐出する前記第２のインクの量を決定することを特徴とする記録装置。
【請求項１７】
前記蒸発のしやすさに関する情報は係数であり、
前記決定手段は、前記第１のインクの量の情報が示す前記第１のインクの量と、前記係数を積算することによって前記第２のインクの量を決定することを特徴とする請求項１６に記載の記録装置。
【請求項１８】
前記係数は、前記取得手段が取得した前記合計のインク量が第１の量の場合よりも、前記合計のインク量が前記第１の量よりも大きい場合の方が小さいことを特徴とする請求項１７に記載の記録装置。
【請求項１９】
記録媒体を支持するプラテンに設けられたインクを吸収するためのインク吸収体の所定の領域に、少なくとも、前記インク吸収体上に吐出された場合に堆積する第１のインクと、前記第１のインクと異なる種類であって前記インクの堆積を抑制することが可能な第２のインクと、を含む複数のインクを吐出する記録ヘッドから記録媒体にインクを吐出することによって記録を行う記録動作に伴い前記所定の領域に吐出されるインクの量の合計である合計のインク量の情報と、前記記録動作に伴い前記記録ヘッドが前記所定の領域に吐出する前記第１のインクの量の情報と、を取得する取得工程と、
取得した前記合計のインク量の情報と前記第１のインクの量の情報に基づいて、前記インク吸収体上へ吐出されたインクの前記インク吸収体への吸収を促進するために、前記記録動作に応じて前記記録ヘッドが前記所定の領域に吐出する前記第２のインクの量を決定する決定工程と、を有するインクの堆積の抑制方法であって、
前記決定工程において、前記取得工程で取得した前記合計のインク量が所定量であるときの前記合計のインク量から前記記録動作に伴い前記所定の領域に吐出する前記第２のインクを除いたインクの量に対する前記決定工程で決定した前記第２のインクの量の比より、前記取得工程で取得した前記合計のインク量が前記所定量より大きい量であるときの前記合計のインク量から前記記録動作に伴い前記所定の領域に吐出する前記第２のインクを除いたインクの量に対する前記決定工程で決定した前記第２のインクの量の比の方が小さくなるように、前記第２のインクの量を決定することを特徴とするインクの堆積の抑制方法。
【請求項２０】
記録媒体を支持するプラテンに設けられたインクを吸収するためのインク吸収体の所定の領域に、少なくとも、前記インク吸収体上に吐出された場合に堆積する第１のインクと、前記第１のインクと異なる種類であって前記インクの堆積を抑制することが可能な第２のインクと、を含む複数のインクを吐出する記録ヘッドから記録媒体にインクを吐出することによって記録を行う記録動作に伴い前記所定の領域に吐出されるインクの量の合計である合計のインク量の情報と、前記記録動作に伴い前記記録ヘッドが前記所定の領域に吐出する前記第１のインクの量の情報と、を取得する取得工程と、
前記取得工程にて取得した前記合計のインク量の情報と前記第１のインクの量の情報に基づいて、前記インク吸収体上へ吐出されたインクの前記インク吸収体への吸収を促進するために、前記所定の動作に応じて前記記録ヘッドが前記所定の領域に吐出する前記第２のインクの量を決定する決定工程と、を有するインクの堆積の抑制方法であって、
前記取得工程において、前記合計のインク量に基づいたインク中の水分の蒸発のしやすさに関する情報を取得し、
前記決定工程において、前記取得工程にて取得した前記第１のインクの量の情報と、前記取得工程にて取得した前記蒸発のしやすさに関する情報と、に基づいて前記記録ヘッドが前記記録動作に応じて前記所定の領域に吐出する前記第２のインクの量を決定することを特徴とするインクの堆積の抑制方法。
【発明の詳細な説明】
【技術分野】
【０００１】
本発明は、インクを用いて記録を行う記録装置及びインクの堆積の抑制方法に関する。
【背景技術】
【０００２】
インクジェット記録装置において、余白がないように記録媒体の端部まで画像を記録する、縁なし記録を実行可能な記録装置が知られている。縁なし記録を行う場合には、記録媒体の端部よりも外側の領域までインクを吐出して画像を記録する。このとき、記録媒体の外側領域に吐出されたインクを吸収するための吸収体が記録ヘッドの移動する経路と対向する位置に配されている。
【０００３】
また、記録ヘッドの吐出口の吐出性能を維持または改善するために記録に寄与しないインクを吐出する予備吐出も吸収体にインクを吐出する動作である。
【０００４】
上記のように縁なし記録や予備吐出によって吸収体にインクを吐出すると、インクが乾燥したり、インクの種類によっては吸収体に吸収されにくかったりするために、吸収体の表面にインクが徐々に堆積することがある。吸収体にインクを繰り返し吐出して堆積物の量が多くなると、記録媒体の裏面が汚染されたり、記録ヘッドの吐出口面と堆積物が接触して吐出口面に接触しかねない。
【０００５】
特許文献１には、吸収体上のインクの堆積を抑制するために、堆積しやすいインクが吐出された吸収体に対して、吸収体に吸収されやすく堆積を抑制する作用がある堆積抑制インクを吐出することが記載されている。また、吸収体に吐出された堆積インクの量に基づいて、堆積を抑制するために吐出する堆積抑制インクの量を制御することが記載されている。
【先行技術文献】
【特許文献】
【０００６】
【特許文献１】特開２００８−１７３９６３号公報
【発明の概要】
【発明が解決しようとする課題】
【０００７】
しかしながら、特許文献１の方法では、堆積抑制インクの消費量が多くなりすぎる懸念がある。
【０００８】
インクの水分は、吸収体の表面付近にあるときの方が表面から離れた場所にあるときよりも蒸発しやすいため、インクが吸収体の深部にある場合と、表層にある場合とでは堆積を抑制するために必要な堆積抑制インクの量が異なる。吸収体に吐出された堆積の原因となるインクは常に吸収体の表層に留まるとは限らない。そのため、吸収体の表層にあるインクの堆積を抑えるために必要な堆積抑制用のインクを全て吐出すると、場合によっては堆積抑制用のインクの量が過剰となることが考えられる。
【０００９】
本発明は、上記課題を鑑みてなされたものであり、インクの堆積を抑制するために使用するインクの消費量を抑えながらインクの堆積を抑制することを目的とする。
【課題を解決するための手段】
【００１０】
本発明は、記録媒体を支持するプラテンと、前記プラテンに設けられ、インクを吸収するためのインク吸収体と、少なくとも、前記インク吸収体上に吐出された場合に堆積する第１のインクと、前記第１のインクと異なる種類であって前記インクの堆積を抑制することが可能な第２のインクと、を含む複数のインクを吐出する記録ヘッドと、前記記録ヘッドが記録媒体に記録を行う記録動作に伴い前記インク吸収体の所定の領域に吐出する前記第１のインクの量の情報と、前記記録ヘッドが記録媒体に記録を行う記録動作に伴い前記所定の領域に吐出するインクの量の合計である合計のインク量の情報と、を取得する取得手段と、前記取得手段によって取得した前記合計のインク量の情報と前記第１のインクの量の情報に基づいて、前記インク吸収体上へ吐出されたインクの前記インク吸収体への吸収を促進するために、前記記録ヘッドが前記記録動作に応じて前記所定の領域に吐出する前記第２のインクの量を決定する決定手段と、を有する記録装置であって、前記決定手段は、前記取得手段が取得した前記合計のインク量が所定量であるときの前記合計のインク量から前記記録動作に伴い前記所定の領域に吐出する前記第２のインクを除いたインクの量に対する前記決定手段が決定した前記第２のインクの量の比より、前記取得手段が取得した前記合計のインク量が前記所定量より大きい量であるときの前記合計のインク量から前記記録動作に伴い前記所定の領域に吐出する前記第２のインクを除いたインクの量に対する前記決定手段が決定した前記第２のインクの量の比の方が小さくなるように、前記第２のインクの量を決定することを特徴とする。
【発明の効果】
【００１１】
本発明によれば、吐出した合計のインク量と、吐出した堆積インクのインク量とに基づいてインクの吸収を促進するためのインクの量を決定することにより、インクの堆積を抑制しつつ、インクの堆積を抑制するために使用するインクの消費量を抑えることができる。
【図面の簡単な説明】
【００１２】
【図１】第１の実施形態に係る記録装置を示す斜視図である。
【図２】第１の実施形態に係る記録部の周辺の模式断面図である。
【図３】第１の実施形態に係る記録ヘッド、インク吸収体、廃インク収容体を示す断面模式図である。
【図４】第１の実施形態に係る記録部の構成を説明するための斜視図である。
【図５】第１の実施形態における記録媒体と吸収体との関係を示す図である。
【図６】第１の実施形態に係る記録装置の全体制御構成を示すブロック図である。
【図７】第１の実施形態に係るインク吸収体の断面模式図である。
【図８】第１の実施形態における堆積抑制処理を示すフローチャートである。
【発明を実施するための形態】
【００１３】
（第１の実施形態）
図１は、本実施形態に係るインクジェット記録装置１（以下、単に記録装置１とする）の内部機構を示す斜視図である。本実施形態に係る記録装置１は主に、記録媒体を給送する給送部、記録媒体を搬送する搬送部、記録媒体に記録を行う記録部、画像が記録された記録媒体を排出する排出部、記録部の記録性能を回復する回復部などから構成される。
【００１４】
給送部は、複数枚の記録媒体を積載する給送トレイや、給送トレイに積載された記録媒体を１枚ずつ記録装置１の内部に給送する給送ローラを有する。
【００１５】
搬送部は、給送部から給送された記録媒体を搬送する搬送ローラ８や、搬送ローラ８と対向する位置に配され搬送ローラ８と共に記録媒体を挟持するピンチローラ９（図２）を有する。
【００１６】
記録部は、インクを吐出する吐出口が設けられた吐出口面が形成された記録ヘッド３と、記録ヘッド３を着脱自在に搭載するキャリッジ２とを有する。キャリッジ２は、キャリッジモータ６の駆動により、シャーシ４に取り付けられたタイミングベルト５を介してガイドシャフト７に沿ってＸ方向（キャリッジの移動方向）に往復移動可能に構成されている。記録媒体Ｐは、Ｘ方向と交差するＹ方向に搬送される。記録ヘッド３は、キャリッジ２が往復移動している間に、記録ヘッド３と対向する位置に停止している記録媒体Ｐに対してインクを吐出することで画像を記録する。記録ヘッド３と対向する位置には、記録媒体Ｐの表面（第１面）と記録ヘッド３の吐出口面との距離を一定に保つように、記録媒体を下方より支持するプラテン１５（図２参照）が設けられている。プラテン１５には、記録媒体外に吐出されたインクを吸収し、収容するインク吸収体２１が設けられている。インク吸収体２１に吸収されたインクは、その後記録装置１の下部に設けられている廃インク収容体１４（図３参照）に回収される。
【００１７】
排出部は、画像が記録された記録媒体を記録装置外へ排出する排出ローラ１０（図２参照）や、排出ローラと対向する位置において記録媒体を押さえる拍車ローラ１１を有する。
【００１８】
回復部は、キャリッジ２の移動方向における記録領域外において、記録ヘッド３の吐出口面２０を覆うキャップ３０（図６参照）を有する。キャップ３０にはインクを吸収する吸収体が備えられており、吸収体が吐出口面２０と接触することで吐出口面２０を覆うことができる。また、回復部は、キャップ３０が記録ヘッド３の吐出口面２０を覆った状態においてチューブ２６を介してキャップ３０と接続された吸引ポンプ３１を駆動することによって記録ヘッド３からインクを吸引する吸引機構を有する。また、回復部は、記録ヘッド３の吐出口面２０を拭払するワイパー３２を有する。
【００１９】
次に記録部の周辺の構成について詳細に説明する。図２は、本実施形態に係る記録部の周辺を、記録装置をＸ方向において中央部で切断し図１のＸ方向から見たときの模式断面図である。給送部から給送された記録媒体Ｐは、Ｙ方向において記録ヘッド３の上流側に設けられた搬送ローラ８とピンチローラ９とによって挟持して搬送される。また、記録媒体Ｐは、Ｙ方向において記録ヘッド３の下流側に設けられた排出ローラ１０と拍車ローラ１１とによっても挟持される。記録媒体Ｐは、搬送ローラ８及びピンチローラ９と排出ローラ１０及び拍車ローラ１１との間に張力が発生した状態で、表面が平坦な状態に保たれたまま挟持搬送される。搬送される記録媒体Ｐは、下方よりプラテン１５に支持されている。
【００２０】
搬送される記録媒体Ｐは、搬送が停止している間に、Ｘ方向に移動するキャリッジ２に搭載された記録ヘッド３の吐出口からインク滴が吐出されることによって、１バンド分（１改行分）の画像が記録される。１バンド分の画像が記録されると、記録媒体Ｐは、不図示の搬送モータにより搬送ローラ８が駆動されることによって、Ｙ方向へ所定量搬送される。このキャリッジ２の往復移動及び記録ヘッド３によるインク滴の吐出と、搬送ローラ８による記録媒体Ｐの所定量ずつの搬送（間欠搬送）とが交互に繰り返されることによって、記録媒体Ｐ全体に画像が記録される。
【００２１】
図３は、インク吸収体２１と廃インク収容体１４の構成を説明するための断面模式図である。インク吸収体２１に吐出されたインクはインク吸収体２１内下方に流れてゆく。インク吸収体２１が保持できるインクの量を超えると、インクはインク吸収体２１から落下する。落下したインクはインク吸収体２１の下方にはインクが流れるための斜面に沿って流れ、廃インク収容体１４に収容される。
【００２２】
（記録ヘッド）
図４は、本実施形態の記録部の構成を説明するための斜視図である。キャリッジ２には、記録ヘッド３が着脱自在に搭載される。さらに、記録ヘッド３に対して４種類のインクタンク（インクカートリッジ）１２が着脱自在に装着される。記録装置１は、４種類のインクによって画像の記録を行い、記録ヘッド３に対して各々独立した４個のインクタンク１２が装着される。本実施形態では、４個のインクタンクのインクはそれぞれ、シアンインク、マゼンタインク、イエローインク、ブラックインク、の顔料インクとする。
【００２３】
記録ヘッド３の吐出口面２０には各色のインクを吐出する各吐出口列がそれぞれＹ方向に配列されている。各吐出口の直上（＋Ｚ方向）には記録素子が配置されている。記録素子は電気熱変換素子であり、電圧を印加することによって熱エネルギーが生成され、熱エネルギーによって吐出口からインクが吐出される。また、記録素子には電気熱変換素子ではなく圧電素子や静電素子、ＭＥＭＳ素子を用いることもできる。
【００２４】
キャリッジ２には、光を発する発光部２０１と、発光部より発光され検査対象で正反射した光を受光する受光部２０３とを有する検知部として検知センサ１３が設けられている。検知センサ１３は、キャリッジ２の移動方向における所定位置の検査対象に対して発光部２０１より所定角度をもって光を発し、受光部２０３でその検査対象からの正反射光を受光する。
【００２５】
４種類のインクのうち、固形成分濃度、粘度が高く、インク吸収体２１上に吐出するとインクの堆積を発生させやすいインクを堆積インクとする。堆積インクでないインクは、固形成分濃度、粘度が堆積インクより高くなく、インク吸収体２１に吸収されやすいインクである。堆積インクでないインクは、インク吸収体２１上で粘度が上昇することによって堆積したインクに対して吐出されることで、堆積したインクの粘度を下げて流動しやすくすることでインク吸収体２１への吸収を促進する堆積抑制インクとして使用する。
【００２６】
また、他に以下のような実験から堆積インクと堆積抑制インクを決定することができる。
【００２７】
インク吸収体上にインクを滴下する手段を設置し、高温低湿環境下で対象インクを間欠的に滴下する。ある規定滴下回数において、インク吸収体２１上に堆積物ができているか否かで、対象インクが堆積し易いインクか否かを判定することができる。堆積したか否かは、検査対象から正反射した光量を検知センサ１３によって測定することによって判定する。インク吸収体２１の表面には凹凸があり、凹凸がインクによって埋まって平滑になると受光部２０３が受光した光量が大きくなる。この状態を堆積した状態と判定する。また、対象インクの堆積物が発生した滴下回数を測定することで、各対象インクの堆積し易さを評価することができる。
【００２８】
表１は、上述した実験を行った結果を示した図である。この結果ではブラックインク＞イエローインク＞マゼンタインクの順で堆積し易いインクであることがわかる。一方、シアンインクでは堆積の発生はない。
【００２９】
本実施形態では、以上の実験の結果より、ブラックインク、イエローインク、マゼンタインクを堆積インクとし、シアンインクを堆積抑制インクとする。
【００３０】
【表１】
2020196135.tif 000003
【００３１】
次に上記実験で堆積の発生のなかったシアンインクについて、堆積低減作用を調べる。ブラックインク、イエローインク、マゼンタインクの各インクの堆積に対して、シアンインクをどの程度付与すれば、インクの堆積がなくなるのかを調べた。この結果を表２に示す。
【００３２】
表２の結果からシアンインクには堆積を低減させる作用があると言える。また、各色のインクの堆積物が溶解するのに必要なシアンインクの量はそれぞれ、ブラックインクでは１：５、イエローインクでは１：２、マゼンタインクでは１：１であった。本実施形態ではこの比に基づいて堆積抑制インクの付与量を決定する。
【００３３】
【表２】
2020196135.tif 000004
【００３４】
本実施形態では堆積インクは顔料インクであるが、例えば染料インクを用いる記録装置において、吸収体に染料インクが堆積する場合には染料インクでも堆積インクとなる。また、インクは４種類に限らず、また、堆積インクや堆積抑制インクなどの分類も異なる分類の仕方をしてもよい。例えば、インクに含まれる溶剤量・保湿剤量によって堆積インクと堆積抑制インクとに分類してもよい。これは、堆積抑制インクが溶剤を多く含む場合、インクの粘性の上昇を抑えて、インクを吸収体に吸収されやすくすることができるためである。したがって、顔料インクにおいても溶剤・保湿剤を多く含むものはインク吸収体に吸収されやすく堆積抑制インクとして分類できる。記録装置は、顔料の濃度の低い淡インクであるライトシアンインクやライトマゼンタインク、顔料を含まないクリアインクなどを有してもよい。そのような記録装置の場合は、顔料濃度の高い濃インクであるシアンインクやマゼンタインクよりも顔料が少なく、溶剤を多く含む淡インクやクリアインクを堆積抑制インクとして使用してもよい。また、顔料の性質によっても堆積しやすいものと堆積しにくいものがあり、顔料が多く含まれていても堆積しにくい性質のものである場合には堆積抑制インクと分類してもよい。本実施形態においてはシアンインクに含まれる顔料はほかのインクに含まれる顔料と比べて堆積しにくい性質のものである。
【００３５】
（プラテン部）
図５は記録媒体Ｐとプラテン１５を上方から見た図であり、縁なし記録を行う際の記録媒体Ｐとプラテン１５に配されたインク吸収体２１の関係を示す。
【００３６】
プラテン１５は、その上部を通過する記録媒体を支持するために、記録ヘッド３が走査する経路に渡って主走査方向に延在する。プラテン１５には、縁なし記録を実行する際に記録媒体の外側にはみ出して吐出されたインクを吸収するためのインク吸収体２１が備えられている。インク吸収体２１は、インクの吐出状態を維持または改善するために吐出される記録に寄与しない予備吐出動作によって吐出されたインクも吸収する。本実施形態においてインク吸収体２１はインクを吸収しやすい多孔質構造であり、表面に凹凸がある。なお、本実施形態において縁なし記録を行う際には、記録媒体から３ｍｍ程外側にはみ出した領域まで、記録ヘッド３からインクを付与するものとする。また、予備吐出は記録媒体よりも３ｍｍ程外側にはみ出した領域に、縁なし記録において記録される領域と隣接するように記録ヘッド３から、前回の予備吐出から２秒を経過した後のスキャン間にインクを付与するものとする。そのため、本実施形態では、縁なし記録と予備吐出とでインク吸収体２１にインクが付与される領域が異なる。図５の記録媒体Ｐの先端部および後端部に縁なし記録を行う場合には、インク吸収体２１のＹ方向に中央部に記録媒体Ｐの先端部または後端部がある状態で記録を行う。そのため、記録媒体Ｐの先端部または後端部に記録を行う場合には、インク吸収体２１の中央にある先後端部記録領域、左右にある左端部領域、右端部領域にインクが吐出される。記録媒体Ｐのその他の部分を記録するときにはインク吸収体２１の左端部領域および右端部領域にインクが吐出される。また、予備吐出を行う場合には、記録媒体Ｐの左端部領域、右端部領域にインクが吐出される。
【００３７】
（ブロック図）
図６は本実施形態における記録装置の全体御部構成を示すブロック図である。ＣＰＵ３００は、ＲＯＭ３０１とＲＡＭ３０２とを有する。ＣＰＵ３００は、ＲＯＭ３０１に格納されたプログラムに従い、データ処理、記録ヘッド駆動およびキャリッジ駆動を以下の各部を介して制御し、記録動作及び予備吐出を含むメンテナンス動作を行う。ＲＡＭ３０２はこのＣＰＵ３００によるデータ処理等のワークエリアとして用いられ、一時的に複数スキャンの記録データ、及びインクジェット記録装置の回復処理動作及び供給動作に係るパラメータ等を保持する。インターフェース３０４はホスト装置と記録装置１を接続可能であり、ＣＰＵ３００はインターフェース３０４を介してホスト装置との通信処理を行う。
【００３８】
不揮発性メモリ３１８は廃インク収容体１４に収容されているインク量や、インク吸収体２１に排出されたインク量、排出時刻、インク情報等を記憶し、インクジェット記録装置の電源がＯＦＦされても情報を保持することができる。インク吸収体２１に排出されたインクは、画像データに基づいて記録媒体外に吐出されるインクをカウントすることで測定する。また、廃インク収容体１４に収容されているインク量はインク吸収体２１やキャップ３０に排出されたインクをカウントし、カウントしたインク量に蒸発を考慮した係数を掛けることで算出する。インクタンク残量管理部３１３は、不揮発性メモリ３１８に記憶されるインク情報に基づいて各インクタンク１２の残量の情報を管理する。ＣＰＵ３００はインクタンク残量管理部３１３に記憶されたインクタンク１２の残量が所定の量以下になると交換を促す警告をホスト装置に接続されたディスプレイに表示させる。
【００３９】
回復制御回路３０８は回復系モータ３０９の駆動制御を行い、キャップ３０の上下動作、ワイパー３２の動作、及び吸引ポンプ３１の動作等の回復動作を制御する。
【００４０】
画像入力部３０３はインターフェース３０４を介し、ホスト装置から入力された画像データを一時的に保持する。画像入力部３０３に入力された画像データは画像信号処理部３１４にて所定の画像処理を施し、記録動作に利用できる記録データが生成される。記録データに従い、記録ヘッド３やキャリッジ２は制御される。
【００４１】
ヘッド駆動制御回路３１５は、記録ヘッド３の記録素子の駆動を行う。この記録素子の駆動により、インクの吐出および予備吐出を記録ヘッド３に行わせる。キャリッジ駆動制御回路３０７は、キャリッジ２の主走査方向（Ｘ方向）の往復移動を制御し、また、吸引動作を行う為にメンテナンスユニット上へ記録ヘッド３を移動させるためにキャリッジ２の移動を制御する。紙送り制御回路３１６は、ＲＡＭ３０２に格納されたプログラムに従って搬送モータの駆動を制御する。
【００４２】
センサ制御部３０６は検知センサ１３を制御する。検知センサ１３は発光部からインク吸収体２１に発光し、受光部が受光した正反射光の反射光量を電圧として出力する。
【００４３】
（インクの堆積）
インク吸収体２１上でインクの堆積が起こる際、まずインク吸収体２１の表面付近にあるインクの中の溶媒成分、主に水分が蒸発してインクの粘度が上がることによりインクの流動性が低下する。流動性が低下したインクは廃インク収容体１４まで到達せずにインク吸収体２１の中にとどまり固着する。この時固着しているのはインク中の固形成分であり、主には顔料である。また、蒸発していない水分も含まれる。
【００４４】
固着したインクがある状態でさらにインク吸収体２１にインクが吐出されると、吐出されたインクは固着したインクの上に溜まり、水分が蒸発してインク吸収体２１内で固着する。その結果インク吸収体２１の表面まで堆積し、表面でインクが固着することで吸収体表面の凹凸を埋め、インクが付着していない状態の吸収体よりも表面が平滑となる。その後、インク吸収体２１内にインクを吸収できなくなるとインクは更に堆積する。本実施形態では、インクがインク吸収体２１の表面まで堆積して固着することで、インク吸収体２１より平滑な面になった状態をインクが堆積した状態とする。
【００４５】
堆積インクが吐出された領域に堆積抑制インクを吐出することによって堆積インクと堆積抑制インクとが混ざり、顔料成分の濃度が下がる。顔料成分の濃度が下がることによりインクの粘度が高くなりにくくなるため、インクの流動性が低下してインクが固着することを抑制することができる。この処理により堆積物が溶けて流動性のある状態になるためインク吸収体２１の下の方に流れるようになり、堆積状態が解消される。
【００４６】
インク吸収体２１において、インクの中の水分の蒸発のしやすさは、Ｚ方向におけるインクがある場所によって異なる。図７はインク吸収体２１のＹ−Ｚ断面の模式図である。インク吸収体２１のＺ方向において、記録ヘッド３と近い方から順にＡ層、Ｂ層、Ｃ層とする。これらは同一材料を位置に応じて区分したものである。Ａ層はインク吸収体２１の表面を含む層であり、外気と接する面積が大きいためインクの中の水分が蒸発しやすい。一方Ｂ層は外気と接する面積が少ないため、Ａ層と比較してインクの中の水分が蒸発しにくい。インクはＺ方向下側に流れてゆくため、Ｂ層よりもさらに記録ヘッド３から離れた位置にあるＣ層までインクが流れ、インクが溜まる。インクが留まるため、Ｃ層は湿度が高い状態であり、Ａ層やＢ層にあるインクよりもインクの中の水分が蒸発しにくい。
【００４７】
Ａ層にあるインクを堆積しないようにするために必要な堆積抑制インク量と、Ｂ層のインクの堆積を抑制するための堆積抑制インク量とでは、インク中の水分が蒸発しにくいＢ層のインクの方が少ない量で堆積を抑制することができる。さらに、Ｃ層にあるインクに必要な堆積抑制インク量はＢ層にあるインクに必要な堆積抑制インク量よりも少ない。各層にあるインクの量が仮に同じでも、以上説明した理由により、各層のインクの堆積を抑制するために必要な堆積抑制インクの量は異なる。そのため、Ｂ層やＣ層にもインクがあることを想定して決定した堆積抑制インクのインク量は、すべてのインクが、インク中の水分が最も蒸発しやすい場合であるＡ層にインクがあると想定したときの堆積抑制インク量よりも少なくすることができる。
【００４８】
インクがＡ層にあり、インク中の水分が最も蒸発しやすい場合を想定したときの堆積抑制インク量は、例えば上述した表１、表２に示した結果に基づき以下の式（１）で求めることができる。シアンインク、マゼンタインク、イエローインク、ブラックインクの量をそれぞれ、Ｃ，Ｍ，Ｙ，Ｋと表す。ここでは、インク量はｎｇ単位の量とするが、吐出するドット数をインク量としてもよい。
堆積抑制インク量Ｘ＝Ｍ＋Ｙ×２＋Ｋ×５・・・式（１）
ここで、式（１）は各インク量に重みづけをした加重和の形式で合計したが、実験結果によっては重みづけをせずに合計してもよい。
【００４９】
表３に、４段階に分けたインク吸収体２１への合計のインクの吐出量それぞれに対応する蒸発係数βを示す。これに基づいて、インク吸収体２１への合計のインクの吐出量に対応する蒸発係数β´を求め、式（１）で求めた堆積抑制インク量に蒸発係数β´を積算することによって吐出する堆積抑制インク量を決定する。
【００５０】
インク吐出量が０．５ｇ未満は図７におけるＡ層にインクがある状態であり、インク中の水分が最も蒸発しやすい状態であるため、蒸発係数βは１とする。インク吐出量が０．５ｇ以上１ｇ未満は図７におけるＢ層までインクがある状態であり、Ｂ層にあるＡ層よりもインク中の水分が蒸発しにくい。そのため、Ｂ層にある０．５ｇ以上１ｇ未満のインクについては蒸発係数βを０．８とする。インク吐出量が１ｇ以上１．５ｇ未満の場合は図７におけるＣ層までインクがある状態であり、Ｃ層にある１ｇ以上１．５ｇ未満のインクについては蒸発係数βを０．６とする。インク吐出量が１．５ｇ以上になると、それ以上の量のインクはインク吸収体２１が保持することのできないインク量であるため、インク吸収体２１からインクが落下して廃インク収容体１４に回収される。そのため、インク吐出量が１．５ｇ以上のインクに関しての蒸発係数βは０とする。本実施形態では、インクの吐出量によって異なる蒸発係数βを設定しているが、環境温度や湿度などの条件によっても異なる蒸発係数を設定するようにしてもよい。
【００５１】
蒸発係数β´は例えば合計のインクの吐出量が０．９ｇだった場合には以下のようになる。
蒸発係数β´＝｛０．５×１＋（０．９−０．５）×０．８｝／０．９≒０．９１
記録ヘッド３から吐出する堆積抑制インク量Ｔは式（２）によって求めることができる。
堆積抑制インク量Ｔ＝堆積抑制インク量Ｘ×蒸発係数β´・・・式（２）
【００５２】
【表３】
2020196135.tif 000005
【００５３】
以下、堆積抑制インクの吐出量について具体例を説明する。ここでは予備吐出によってインクが付与されたインク吸収体２１の所定の領域に吐出する堆積抑制インクを算出する。
【００５４】
まず、各色の吐出口の数を２０００、１頁あたりのインク吸収体２１への予備吐出回数を２００回とし、１回の予備吐出において各ノズルから１回の吐出量が４ｎｇの吐出を２０回行うとする。
【００５５】
ここで、１頁分の予備吐出量に対して必要な堆積抑制インク量は、式（１）から
堆積抑制インク量Ｘ＝４ｎｇ×２０吐出×２０００×２００回＋４ｎｇ×２０吐出×２０００×２００回×２＋４ｎｇ×２０吐出×２０００×２００回×５
＝０．２５６ｇ
となる。
【００５６】
この時のインク吸収体２１へのシアンインク、マゼンタインク、イエローインク、ブラックインクの吐出量の合計は
４ｎｇ×２０吐出×２０００ノズル×２００回＋４ｎｇ×２０吐出×２０００ノズル×２００回＋４ｎｇ×２０吐出×２０００ノズル×２００回＋４ｎｇ×２０吐出×２０００ノズル×２００回
＝０．１２８ｇ
であり、表３より０．５ｇ未満なので蒸発係数β´は１である。
よって、式（２）より堆積抑制インク量Ｔは、
堆積抑制インク量Ｔ＝０．２５６ｇ×１＝０．２５６ｇ
と求められる。
【００５７】
このときのインクの堆積を引き起こすインクの量であるマゼンタインク、イエローインク、ブラックインクの合計の吐出量に対する堆積抑制インク量Ｔの比は以下のようになる。
堆積抑制インク量Ｔ／インクの堆積を引き起こすインクの量
＝０．２５６ｇ／（４ｎｇ×２０吐出×２０００ノズル×２００回＋４ｎｇ×２０吐出×２０００ノズル×２００回＋４ｎｇ×２０吐出×２０００ノズル×２００回）
＝０．２５６ｇ／０．０９６ｇ
＝２．６７
である。
【００５８】
次に１０頁連続記録した場合の例を示す。連続して記録を行う場合には１０頁の記録が終わった後にまとめて堆積抑制処理を行う。１０頁分の予備吐出量を式（１）によって算出すると、
堆積抑制インク量Ｘ＝（４ｎｇ×２０吐出×２０００ノズル×２００回＋４ｎｇ×２０吐出×２０００ノズル×２００回×２＋４ｎｇ×２０吐出×２０００ノズル×２００回×５）×１０頁
＝２．５６ｇ
となる。
【００５９】
この時のインク吸収体２１へのシアンインク、マゼンタインク、イエローインク、ブラックインクの吐出量の合計は
（４ｎｇ×２０吐出×２０００ノズル×２００回＋４ｎｇ×２０吐出×２０００ノズル×２００回＋４ｎｇ×２０吐出×２０００ノズル×２００回＋４ｎｇ×２０吐出×２０００ノズル×２００回）×１０頁
＝１．２８ｇ
なので、表３より蒸発係数βは０〜０．５ｇ分は１、０．５〜１ｇ分が０．８、１ｇ〜１．２８ｇ分は０．６となるため、
蒸発係数β´＝（０．５×１＋（１−０．５）×０．８＋（１．２８−１）×０．６）／１．２８≒０．８３４
となる。
【００６０】
よって、式（２）より所定の領域に吐出する堆積抑制インク量Ｔは
堆積抑制インク量Ｔ＝２．５６ｇ×０．８３４＝２．１４ｇ
となる。
【００６１】
このときのインクの堆積を引き起こすインクの量であるマゼンタインク、イエローインク、ブラックインクの合計の吐出量に対する堆積抑制インク量Ｔの比は以下のようになる。
堆積抑制インク量Ｔ／インクの堆積を引き起こすインクの量
＝２．１４ｇ／（４ｎｇ×２０吐出×２０００ノズル×２００回＋４ｎｇ×２０吐出×２０００ノズル×２００回＋４ｎｇ×２０吐出×２０００ノズル×２００回）×１０頁
＝２．１４ｇ／０．９６
＝２．２３
である。
【００６２】
次に２０頁連続記録した場合の例を示す。
式（１）より、
堆積抑制インク量Ｘ＝（４ｎｇ×２０吐出×２０００ノズル×２００回＋４ｎｇ×２０吐出×２０００ノズル×２００回×２＋４ｎｇ×２０吐出×２０００ノズル×２００回×５）×２０頁
＝５．１２ｇ
となる。
【００６３】
この時のインク吸収体２１へのシアンインク、マゼンタインク、イエローインク、ブラックインクの吐出量の合計は
（４ｎｇ×２０吐出×２０００ノズル×２００回＋４ｎｇ×２０吐出×２０００ノズル×２００回＋４ｎｇ×２０吐出×２０００ノズル×２００回＋４ｎｇ×２０吐出×２０００ノズル×２００回）×２０頁
＝２．５６ｇ
となる。表３より蒸発係数βは０〜０．５ｇ分は１、０．５〜１ｇ分が０．８、１ｇ〜１．５ｇ分が０．６、１．５ｇ〜１．９２ｇ分が０となるため、蒸発係数β´は、
蒸発係数β´＝（０．５×１＋（１．０−０．５）×０．８＋（１．５−１．０）×０．６＋（２．５６−１．５）×０）／２．５６≒０．４６９
となる。
よって、式（２）より所定の領域に吐出する堆積抑制インク量Ｔは
堆積抑制インク量Ｔ＝５．１２ｇ×０．４６９＝２．４ｇ
となる。
【００６４】
このときのインクの堆積を引き起こすインクの量であるマゼンタインク、イエローインク、ブラックインクの合計の吐出量に対する堆積抑制インク量Ｔの比は以下のようになる。
堆積抑制インク量Ｔ／インクの堆積を引き起こすインクの量
＝２．４ｇ／（４ｎｇ×２０吐出×２０００ノズル×２００回＋４ｎｇ×２０吐出×２０００ノズル×２００回＋４ｎｇ×２０吐出×２０００ノズル×２００回）×２０頁
＝２．１４ｇ／１．９２
＝１．１１
である。
【００６５】
以上のように、インクの吐出量の合計が大きいほど蒸発係数β´が小さくなる。そのため、インクの吐出量の合計が大きいほど、吐出する堆積抑制インク量Ｔを、最も蒸発しやすい場合を想定した堆積抑制インク量Ｘよりも減らすことができる。また、上述したような堆積インクである各インクの吐出量が同じ場合には、インクの堆積を引き起こすインクの量が多いほど、インクの堆積を引き起こすインクの量に対する堆積抑制インク量Ｔの比は小さくなっている。
【００６６】
堆積抑制インク量Ｔを算出する方法として、堆積抑制インク量Ｘに蒸発係数β´を積算する方法を示した。他にも、テーブルによって堆積抑制インク量Ｔを決定するような形態でもよい。例えば、各インクの吐出量と堆積抑制インク量Ｔとが対応するテーブルが予めＲＯＭ３０１に格納されており、各インクの吐出量を取得することで堆積抑制インク量Ｔを決定するようにしてもよい。
【００６７】
図８は本実施形態における堆積抑制処理のフローチャートである。まず、ホスト装置から画像データが記録装置１に入力される。入力された画像データのうち、１頁分の記録が終わる毎に１頁単位でインク吸収体２１に吐出されたインク量を加算し、入力された画像データの記録においてインク吸収体２１に吐出されたインク量を算出する。そして、吐出されたインク量に基づいて堆積抑制インクの吐出量を決定し、インクが吐出されたインク吸収体２１の領域に堆積抑制インクの吐出を行う。堆積抑制処理はＲＯＭ３０１などに格納されたプログラムに従ってＣＰＵ３００が各回路を介してキャリッジ２や記録ヘッド３を制御することで実行される処理である。また、ここではジョブ毎に行う処理として説明するが、複数ジョブ毎や、所定枚数毎に実行するようにしてもよいし、記録する記録媒体のサイズが変わるときや、スリープ時などのタイミングで実行するようにしてもよい。ここでは簡単のため、縁なし記録は行わず、インク吸収体２１には予備吐出のみが行われるものとして説明する。
【００６８】
まず、ホスト装置から画像データを取得するとステップＳ１では、画像信号処理部３１４にて画像データから記録データを生成し、記録データに基づいて記録ヘッド３からインクを吐出して記録を行う。このとき、数スキャンに一度インク吸収体２１に予備吐出を行う。
【００６９】
１頁分の記録が終了するとステップＳ２では、ステップＳ１で行った予備吐出量をＣＰＵ３００によって算出し、ＲＡＭ３０２に記憶させる。
【００７０】
ステップＳ３では次の頁があるかを判定し、次の頁がある場合にはステップＳ１に進み、次の頁の記録を行う。次の頁がない場合には記録を終了し、ステップＳ４で堆積抑制インク量Ｔを算出する。堆積抑制インク量Ｔは上述した具体例と同様の方法で算出する。
【００７１】
ステップＳ５では記録ヘッド３を予備吐出が行われた位置に移動し、ステップＳ４にて算出した堆積抑制インク量Ｔに基づいてインク吸収体２１の所定の領域に堆積抑制インクの吐出を行う。
【００７２】
以上により、堆積抑制処理が終了する。
【００７３】
縁なし記録を行う場合は、予備吐出とはインクを吐出する領域が異なるため、予備吐出量とは別に縁なし記録によってインク吸収体２１に吐出されたインク量を取得する。そして、取得したインク量に基づいて縁なし記録によってインクが吐出された領域に吐出する堆積抑制インク量を算出し、吐出する。
【００７４】
本実施形態では、インク吸収体２１に吐出されるインク量によって蒸発係数を設定して堆積抑制インク量を決定する。そうすることで、最も蒸発しやすい場合を想定した場合の堆積抑制インク量よりも減らしつつ、インク吸収体２１のインクの堆積を抑制することができる。
【００７５】
（第２の実施形態）
第１の実施形態は、堆積インクの吐出量に応じて堆積抑制インク量を決定する形態であった。しかし、縁なし記録や予備吐出においては、堆積インクだけではなく堆積抑制インクも吐出している場合がある。そのような場合には、図８のステップＳ５の堆積抑制のための吐出をしなくとも、縁なし記録や予備吐出のために吐出された堆積抑制インクによってある程度は堆積が抑制されている。本実施形態では、縁なし記録や予備吐出のときに吐出された堆積抑制インク量も考慮してステップＳ５の堆積抑制のための堆積抑制インク量を決定する。本実施形態の堆積抑制処理は第１の実施形態の図８の堆積抑制処理における堆積抑制インク量の算出の方法以外は同様の処理を行うため、ステップＳ４で算出する堆積抑制インク量の算出方法についてのみ説明を行う。
【００７６】
以下にステップＳ５で吐出する堆積抑制インク量の算出方法を説明する。
【００７７】
上述したように、縁なし記録や予備吐出において吐出された堆積抑制インクは、吐出された堆積インクによるインクの堆積を抑制することができる。そのため、インク中の水分が最も蒸発しやすい場合を想定したときの堆積抑制インク量Ｘは以下に示す式（３）により求めることができる。
堆積抑制インク量Ｘ＝堆積抑制インク量Ｘ＝Ｍ＋Ｙ×２＋Ｋ×５−Ｃ・・・式（３）
記録ヘッド３から吐出する堆積抑制インク量Ｔは式（２）によって求めることができる。
堆積抑制インク量Ｔ＝堆積抑制インク量Ｘ×蒸発係数β´・・・式（２）
以下、堆積抑制インクの吐出量について具体例を用いて説明する。ここでは予備吐出によってインクが付与されたインク吸収体２１の領域に吐出する堆積抑制インクを算出する。
【００７８】
例えば、各色のノズル数を２０００ノズル、１頁あたりのインク吸収体２１への予備吐出回数を２００回、１回の予備吐出において各ノズルから１回の吐出量が４ｎｇの吐出を２０回行うとする。
【００７９】
１頁分の予備吐出量を式（３）によって算出すると、
堆積抑制インク量Ｘ＝４ｎｇ×２０吐出×２０００ノズル×２００回＋４ｎｇ×２０吐出×２０００ノズル×２００回×２＋４ｎｇ×２０吐出×２０００ノズル×２００回×５−４ｎｇ×２０吐出×２０００ノズル×２００回
＝０．２２４ｇ
となる。
【００８０】
この時のインク吸収体２１へのシアンインク、マゼンタインク、イエローインク、ブラックインクの吐出量の合計は
４ｎｇ×２０吐出×２０００ノズル×２００回＋４ｎｇ×２０吐出×２０００ノズル×２００回＋４ｎｇ×２０吐出×２０００ノズル×２００回＋４ｎｇ×２０吐出×２０００ノズル×２００回
＝０．１２８ｇ
である。表３より蒸発係数β´＝１となり、式（２）より堆積抑制インク量Ｔは、
堆積抑制インク量Ｔ＝０．２２４ｇ×１＝０．２２４ｇ
となる。
【００８１】
このときのインクの堆積を引き起こすインクの量に対する堆積抑制インク量Ｔの比は以下のようになる。インクの堆積を引き起こすインクの量はマゼンタインク、イエローインク、ブラックインクの合計のインク量からシアンインクの量を減算した、Ｍ＋Ｙ＋Ｋ−Ｃである。
堆積抑制インク量Ｔ／インクの堆積を引き起こすインクの量
＝０．２２４ｇ／（４ｎｇ×２０吐出×２０００ノズル×２００回＋４ｎｇ×２０吐出×２０００ノズル×２００回＋４ｎｇ×２０吐出×２０００ノズル×２００回−４ｎｇ×２０吐出×２０００ノズル×２００回）
＝０．２２４ｇ／０．０６４
＝３．５０
である。
【００８２】
また、上記頁を１０頁連続記録した場合、１０頁終了後にまとめて堆積抑制制御が行われる。１０頁分の予備吐出量を式（３）によって算出すると、
堆積抑制インク量Ｘ＝（４ｎｇ×２０吐出×２０００ノズル×２００回＋４ｎｇ×２０吐出×２０００ノズル×２００回×２＋４ｎｇ×２０吐出×２０００ノズル×２００回×５−４ｎｇ×２０吐出×２０００ノズル×２００回）×１０頁
＝２．２４ｇ
となる。
【００８３】
この時のインク吸収体２１へのシアンインク、マゼンタインク、イエローインク、ブラックインクの吐出量の合計は
（４ｎｇ×２０吐出×２０００ノズル×２００回＋４ｎｇ×２０吐出×２０００ノズル×２００回＋４ｎｇ×２０吐出×２０００ノズル×２００回＋４ｎｇ×２０吐出×２０００ノズル×２００回）×１０頁
＝１．２８ｇ
である。表３より蒸発係数βは０〜０．５ｇ分は１、０．５〜１ｇ分が０．８、１〜１．２８ｇ分が０．６となるため、
蒸発係数β´＝（０．５×１＋（１−０．５）×０．８＋（１．２８−１）×０．６）／１．２８≒０．８３４
となる。よって、式（２）より堆積抑制インク量Ｔは
堆積抑制インク量Ｔ＝２．２４ｇ×０．８３４≒１．８６９ｇ
となる。
【００８４】
このときのインクの堆積を引き起こすインクの量に対する堆積抑制インク量Ｔの比は以下のようになる。インクの堆積を引き起こすインクの量はＭ＋Ｙ＋Ｋ−Ｃである。
堆積抑制インク量Ｔ／インクの堆積を引き起こすインクの量
＝１．８６９ｇ／（４ｎｇ×２０吐出×２０００ノズル×２００回＋４ｎｇ×２０吐出×２０００ノズル×２００回＋４ｎｇ×２０吐出×２０００ノズル×２００回−４ｎｇ×２０吐出×２０００ノズル×２００回）×１０頁
＝１．８６９ｇ／０．６４
＝２．９２
である。
【００８５】
以上のように、本実施形態においても、インクの吐出量の合計が大きいほど蒸発係数βが小さくなる。そのため、インクの吐出量の合計が大きいほど、吐出する堆積抑制インク量Ｔを、最も蒸発しやすい場合を想定した堆積抑制インク量Ｘよりも減らすことができる。また、上述したような堆積インクである各色のインクの吐出量が同じ場合には、インクの堆積を引き起こすインクの量が多いほど、インクの堆積を引き起こすインクの量に対する堆積抑制インク量Ｔの比は小さくなっている。以上の説明では堆積抑制インクは１種類であったが、他にも堆積抑制インクを有する場合は堆積抑制インク量Ｘの算出時に他の堆積抑制インクのインク量も減算するようにしてもよい。
【００８６】
第２の実施形態では、縁なし記録や予備吐出のときに吐出される堆積抑制インクの量も考慮して、インクの堆積を抑制するための堆積抑制インク量を決定した。そうすることで、第１の実施形態と比較してより堆積抑制インク量を減らすことができる。
【符号の説明】
【００８７】
２  キャリッジ
３  記録ヘッド
１４  廃インク収容体
１５  プラテン
２１  インク吸収体
３００  ＣＰＵ
３０１  ＲＯＭ
３０２  ＲＡＭ
【図１】
2020196135.tif 000006
【図２】
2020196135.tif 000007
【図３】
2020196135.tif 000008
【図４】
2020196135.tif 000009
【図５】
2020196135.tif 000010
【図６】
2020196135.tif 000011
【図７】
2020196135.tif 000012
【図８】
2020196135.tif 000013